(57)【特許請求の範囲】
【請求項１】
左右方向に間隔を空けて立設される複数本の支柱と、
上記左右に隣接する支柱の上端部間に水平に架け渡され、左右端部が上側受け部材を介して該支柱に固定支持された天板とを備え、
上記支柱の下端部は床に固定され、
上記天板の後端部は壁に固定されており、
上記隣接する支柱の各々の対向側面には、上下方向に連続する凹溝と、該凹溝の底部に位置し、上下方向に一定の間隔を空けて配置された複数のねじ孔とが設けられ、
上記上側受け部材は、上記凹溝に嵌合可能な支持部と、該支持部の上端部から水平方向に延びる受け部とを備えた略Ｔ字状とされ、
上記支持部には、上記支柱のねじ孔に締結されるねじ部材を挿通可能なねじ挿通孔と、該ねじ挿通孔よりも下側に位置し、ねじ部材が締結されるねじ孔下側のねじ孔に嵌挿される水平方向に延びるガイドピンとが設けられていることを特徴とする収納ユニット。
【請求項２】
請求項１において、
隣接する支柱の各々の対向側面の天板下側には、上側受け部材と同じ下側受け部材が上側受け部材と同じ構造でかつ互いに同じ高さになるように固定支持され、
上記両下側受け部材間には収納部が左右端部を下側受け部材に支持された状態で架け渡されていることを特徴とする収納ユニット。
【請求項３】
請求項２において、
収納部は棚板であり、
受け部材の受け部には上方向に延びる板取付用ガイドピンが突設され、
天板及び棚板には、上記板取付用ガイドピンが嵌挿されるガイド穴が設けられていることを特徴とする収納ユニット。
【請求項４】
請求項３において、
受け部材の受け部は天板及び棚板の前後幅よりも小さいことを特徴とする収納ユニット。
【発明の詳細な説明】
【技術分野】
【０００１】
本発明は、収納ユニットに関し、特にクローゼットやクロークルームに設置されて衣類や鞄等を収納するのに好適なものに関する。
【背景技術】
【０００２】
従来、この種の収納ユニットとして、床に複数の支柱を立て、それらの間に棚板等を架け渡して固定するものはよく知られている。
【０００３】
例えば特許文献１に示されるものでは、壁にレールを固定する一方、壁から前側に離れた位置の床に複数の支柱を左右に並べて立設し、この支柱を天枠材を介してレール（壁）に連結し、支柱間に棚、引き出し、天板等の収納部を架け渡している。
【０００４】
また、特許文献２には、壁から前側に離れた位置の床に複数の支柱を左右に並べて立設し、この支柱を天板受け部材を介して、壁に固定したレールに固定し、支柱間に棚等の収納部を架け渡したものが提案されている。
【先行技術文献】
【特許文献】
【０００５】
【特許文献１】特開２００３−２１９９２１号公報
【特許文献２】特開２００６−３４５９５０号公報
【発明の概要】
【発明が解決しようとする課題】
【０００６】
しかし、上記従来の特許文献１，２のものでは、壁にレールを固定して、そのレールに支柱の上端部を天枠材や天板受け部材を介して固定しているので、設置する床面に不陸があると、レールを水平に保持することが難しくなり、収納ユニットの固定設置が不安定になるという問題がある。
【０００７】
本発明は斯かる点に鑑みてなされたものであり、その目的は、収納ユニットにおける支柱の壁への取付構造を改良することで、床面の不陸の有無に関係なく確実に収納ユニットを固定して設置できるようにすることにある。
【課題を解決するための手段】
【０００８】
上記の目的の達成のため、この発明では、支柱間の上端部に架け渡される天板を利用し、その天板を後端部で直接壁に固定することで、支柱を天板を介して壁に固定するようにした。
【０００９】
具体的には、第１の発明に係る収納ユニットは、左右方向に間隔を空けて立設される複数本の支柱と、これら左右に隣接する支柱の上端部間に水平に架け渡され、左右端部が上側受け部材を介して該支柱に固定支持された天板とを備え、上記支柱の下端部は床に固定され、上記天板の後端部は壁に固定されている。さらに、上記隣接する支柱の各々の対向側面には、上下方向に連続する凹溝と、この凹溝の底部に位置し、上下方向に一定の間隔を空けて配置された複数のねじ孔とが設けられ、上記上側受け部材は、上記凹溝に嵌合可能な支持部と、この支持部の上端部から水平方向に延びる受け部とを備えた略Ｔ字状とされ、上記支持部には、上記支柱のねじ孔に締結されるねじ部材を挿通可能なねじ挿通孔と、このねじ挿通孔よりも下側に位置し、ねじ部材が締結されるねじ孔下側のねじ孔に嵌挿される水平方向に延びるガイドピンとが設けられていることを特徴とする。
【００１０】
この第１の発明では、支柱の下端部は床に固定される一方、支柱の上端部に上側受け部材を介して天板が固定支持され、この天板は後端部が壁に固定されているので、支柱は受け部材及び天板を介して壁に固定されることとなり、支柱は上端部を壁に固定された状態で床上に確実に立設される。
【００１１】
そのとき、支柱の上端部は受け部材及び天板を介して壁に固定されるので、収納ユニットを固定するためのレールを壁に設けずとも済み、床の不陸があっても、そのことに関係なく確実に収納ユニットを固定することができる。
【００１２】
また、支柱の対向側面に凹溝が形成され、その底部に複数のねじ孔が一定の間隔を空けて設けられている一方、受け部材の支持部は凹溝に嵌合可能で、その支持部に上側のねじ挿通孔と下側ガイドピンとが形成されているので、受け部材を支柱に取付固定する場合には、受け部材の支持部を支柱の凹溝に嵌合し、その状態で下側のガイドピンを凹溝底部のねじ孔に嵌挿し、ねじ部材を上側のねじ挿通孔に挿通してガイドピンが嵌挿されているねじ孔よりも上側のねじ孔に螺合して締結すればよい。
【００１３】
このように支柱の凹溝に上側受け部材の支持部が嵌合されるので、その嵌合により、上側受け部材を支柱へ容易に位置決めして施工し易くなるとともに、支柱の凹溝への上側受け部材の支持部の嵌合により、上側受け部材の支持強度が高くなり、上側受け部材及び該上側受け部材に固定される天板の前後方向の傾斜や転倒を防止することができる。
【００１４】
また、上側受け部材のガイドピンを支柱のねじ孔に嵌挿することで、上側受け部材を支柱において容易に位置決めすることができるだけでなく、そのガイドピンのねじ孔への嵌挿により上側受け部材を仮留めしておいて、その仮留め状態で上側のねじ挿通孔を挿通するねじ部材で固定すればよく、上側受け部材の支柱へのねじ留めを確実に行うことができる。このようにして、Ｔ字状の上側受け部材を支柱に対しねじ部材とガイドピンとの上下２箇所で結合し、ねじ部材のねじ孔への螺合締結によって強固に固定することができる。
【００１５】
しかも、支柱には複数のねじ孔を形成するだけでよいので、その製造や加工が容易となる。
【００１６】
第２の発明は、第１の発明において、隣接する支柱の各々の対向側面の天板下側には、上側受け部材と同じ下側受け部材が上側受け部材と同じ構造でかつ互いに同じ高さになるように固定支持され、上記両下側受け部材間には収納部が左右端部を下側受け部材に支持された状態で架け渡されていることを特徴とする。
【００１７】
この第２の発明では、下側受け部材は天板用の上側受け部材と同じＴ字状のものであり、支柱に対し上側受け部材と同じ構造で、つまり支持部が支柱の凹溝に嵌合された状態で支持部のガイドピンとねじ部材との上下２箇所で結合されている。この下側受け部材は隣接する支柱の下側受け部材と互いに同じ高さになるように固定支持され、両下側受け部材間に収納部が下側受け部材に固定された状態で架け渡されている。
【００１８】
このことで、天板を支持する上側受け部材と、収納部を支持する下側受け部材とは同じものを用いることができ、１種類の受け部材により天板及び収納部を支柱に支持することができ、異種の受け部材による取付ミスが生じず、施工も容易となり、部品点数も少なくなってコストダウンを図ることができる。
【００１９】
第３の発明は、第２の発明において、収納部は棚板であり、受け部材の受け部には上方向に延びる板取付用ガイドピンが突設され、天板及び棚板には、上記板取付用ガイドピンが嵌挿されるガイド穴が設けられていることを特徴とする。
【００２０】
この第３の発明では、受け部材に天板及び棚板を取付固定するときには、その固定の前に、天板及び棚板のガイド穴に受け部材における受け部のガイドピンを嵌挿すればよい。このことで、天板及び棚板を受け部材に仮固定することができ、その仮固定の状態で後の固定を容易にかつ確実に行うことができる。
【００２１】
第４の発明は、第３の発明において、受け部材の受け部は天板及び棚板の前後幅よりも小さいことを特徴とする。
【００２２】
この第４の発明では、受け部材の受け部が天板及び棚板の前後幅よりも小さいので、設置状態（施工状態）では、その受け部は天板や棚板に隠れ、それらから飛び出していない状態となる。そのため、天板や棚板に収納し或いはそれらから取り出そうとする収納物が引っ掛かったり使用者が衝突したりすることがないとともに、受け部材の受け部が目立ち難くなって収納ユニットの意匠性を高めることができる。
【発明の効果】
【００２３】
以上説明したように、本発明に係る収納ユニットによると、下端部が床に固定されて立設された複数本の支柱の上端部間に天板を架け渡して、その天板を受け部材を介して支柱に固定支持し、天板の後端部を壁に固定するようにしたことにより、支柱の上端部を受け部材及び天板を介して壁に固定し、収納ユニットの固定のためのレールを壁に設けることが不要となり、床の不陸に関係なく確実に収納ユニットを固定することができる。また、支柱の凹溝に受け部材の支持部が嵌合されるので、受け部材の支柱への位置決めが容易で施工の容易化を図るとともに、受け部材の支持強度が高くなって天板の傾斜や転倒を防止することができる。さらに、受け部材のガイドピンを支柱のねじ孔に嵌挿することで、受け部材を支柱に対しねじ部材とガイドピンとの上下２箇所で結合し、受け部材を支柱に対し容易に位置決めしてねじ留め固定を確実にかつ強固に行うことができる。
【図面の簡単な説明】
【００２４】
【図１】図１は、本発明の実施形態１に係る収納ユニットの斜視図である。
【図２】図２は、収納ユニットの正面図である。
【図３】図３は、スタッドの側面図である。
【図４】図４は、スタッドの拡大断面図である。
【図５】図５は、上側スタッドエンドの平面図である。
【図６】図６は、下側スタッドエンドの平面図である。
【図７】図７は、受け部材の平面図である。
【図８】図８は、受け部材の側面図である。
【図９】図９は、図８のIX−IX線断面図である。
【図１０】図１０は、スタッドにスタッドエンドと受け部材とを取り付ける状態を示す斜視図である。
【図１１】図１１は、左右のスタッド間の上端部に天板を架け渡して受け部材に固定する状態を示す斜視図である。
【図１２】図１２は、左右のスタッド間の上端部の天板を後壁に固定し、後壁に天板受桟を取付固定する状態を示す斜視図である。
【図１３】図１３は、左右のスタッドの中間部に受け部材を取り付ける状態を示す斜視図である。
【図１４】図１４は、左右のスタッドの受け部材間に棚板を固定する状態を示す斜視図である。
【図１５】図１５は、本発明の実施形態２に係る収納ユニットの斜視図である。
【発明を実施するための形態】
【００２５】
以下、本発明の実施形態を図面に基づいて詳細に説明する。以下の実施形態の説明は、本質的に例示に過ぎず、本発明、その適用物或いはその用途を制限することを意図するものでは全くない。
【００２６】
（実施形態１）
図１及び図２は本発明の実施形態１に係る収納ユニットＡの全体構成を示し、この収納ユニットＡは、例えばクローゼットやクロークルーム等の収納空間の床Ｆ上に、後壁Ｗｂと側壁Ｗｓとの間に亘り平面視でＬ字状となるように設置され、衣類や鞄、靴等を収納するために用いられる。
【００２７】
収納ユニットＡは、複数本のスタッド１，１，…（支柱）、上下のスタッドエンド５，７、複数枚の天板１０，１０，…及びカットフリー天板１１，１２、複数枚の棚板１３，１３，…、複数の受け部材１８，１８，…、複数のフック２６，２６，…、フロート引出し２８、置型引出し２９、ハンガーパイプ４０、モンキーハンガー４３等を備えている。
【００２８】
本実施形態では、後壁Ｗｂの前に３本のスタッド１，１，…が後壁Ｗｂに向かって左右方向に間隔を空けて並んだ状態で立設されている。また、側壁Ｗｓの前に２本のスタッド１，１が側壁Ｗｓに向かって左右方向に間隔を空けて並んだ状態で立設されている。
【００２９】
図３及び図４に示すように、上記各スタッド１は、例えば押出成形により形成された所定長さ（２０１０ｍｍ又は１８１０ｍｍ）の断面長円形状の中空パイプ材からなり、その長円断面の長径方向が後壁Ｗｂ又は側壁Ｗｓに対して垂直になるように床Ｆ上に立設される。スタッド１の内周部には、長円断面の長径方向に対向する位置に内側（対向側）を部分的に開放したねじ取付部１ａ，１ａが長さ方向に連続して形成されている。
【００３０】
各スタッド１の長円断面の短径方向に対向する両側面（隣接するスタッド１，１の各々の対向側面）には、その部分の各側壁部を内側に部分的に凹陥することで所定の溝幅（例えば２３ｍｍ）を有する断面コ字状の凹溝２，２が上下方向に連続して形成されている。この各凹溝２の底部（スタッド１の側壁部）には、孔周面に雌ねじが刻設された複数（例えば４０）のねじ孔３，３，…がスタッド１の内部まで貫通するように形成され、これら複数のねじ孔３，３，…はスタッド１の全体に亘り上下方向に一定の間隔ｄ（例えばｄ＝５０ｍｍ）を空けて配置されている。
【００３１】
尚、複数本のスタッド１，１，…を床Ｆ上に左右に並べて立設するとき、左右の両端部（収納ユニットＡの外側）に位置するスタッド１において、その収納ユニットＡの外側に相当する凹溝２には、複数（例えば４つ）の凹溝２がスタッド１の全体ではなく上端部のみに形成されている。また、スタッド１の外周面には、両凹溝２，２を除く部分に長さ方向（上下方向）に延びる微小の複数の凹凸条からなるローレット加工が施されている。
【００３２】
上記上側スタッドエンド５は、スタッド１の上端開口を閉塞して隠蔽するもので、図５に示すように、スタッド１の断面形状と同じ長径及び短径を持つ長円板状のスタッドエンド本体５ａと、このスタッドエンド本体５ａの下面に一体に突設された長方形角筒状の嵌合部５ｂとを備え、嵌合部５ｂの外側面には２対の薄板状の係合突起５ｃ，５ｃが一体に形成されており、嵌合部５ｂをスタッド１の上端開口に嵌合して係合突起５ｃ，５ｃを凹溝２底部裏側のスタッド１内面に圧接させることで、上側スタッドエンド５をスタッド１の上端に固定するようにしている。
【００３３】
一方、下側スタッドエンド７は、スタッド１の下端開口を閉塞して隠蔽するだけでなく、起立状態にあるスタッド１を前後方向に傾倒不能に保持する足の役割を持つ。この下側スタッドエンド７は、図６に示すように、幅がスタッド１の長円断面の短径方向の大きさよりも若干大で、長さがスタッド１の長円断面の長径方向の大きさよりも大きい所定厚さ（例えば５ｍｍ）の長円板状のものであり、その長さ方向の中間部には２つのねじ挿通孔７ａ，７ａが、また長さ方向の両端部には取付孔７ｂ，７ｂがそれぞれ貫通形成されている。この下側スタッドエンド７をスタッド１の下端に取り付けるときに、下側スタッドエンド７のねじ挿通孔７ａ，７ａに挿通されたねじＳ，Ｓ（図１０参照）をそれぞれスタッド１の下面に開口するねじ取付部１ａ，１ａにねじ切り状態で螺合することで、下側スタッドエンド７をスタッド１に取付固定する。また、下側スタッドエンド７がスタッド１の下端に取り付けられた状態で、その下側スタッドエンド７を足として床Ｆ上に立設したときには、その下側スタッドエンド７の取付孔７ｂ，７ｂにねじＳ，Ｓ（図１２参照）を挿通して床Ｆに螺合締結することで、スタッド１を床Ｆに起立して固定するようになっている。
【００３４】
上記各天板１０、各カットフリー天板１１，１２及び各棚板１３は、収納物を上載する板である。天板１０及び棚板１３は基本的に同じ寸法を有する同じものであり、取付位置に応じて名称が異なっているだけである。図１１に天板１０を例示するように、天板１０及び棚板１３の左右端部下面、カットフリー天板１１，１２の一端部（カットされずに受け部材１８に支持される側）の下面には、その前後方向（幅方向）の中央部に、後述の受け部材１８の板取付用ガイドピン２３が嵌挿される有底状のガイド穴１４が形成されている。カットフリー天板１１，１２は、天板１０と同じ高さに水平に並べられて固定されるもので、天板１０（棚板１３）と同じ厚さでそれよりも長い板からなり、施工現場で必要に応じて切断して長さを調整することで使用される。
【００３５】
受け部材１８は棚受けとも呼ばれ、天板１０をスタッド１の上端部に固定するための上側受け部材と、棚板１３をスタッド１の上下中間部に固定するための下側受け部材とに分けられるが、いずれも同じ構造のもので、固定する対象が天板１０か棚板１３かによって異なるだけであり、同じものとして説明する。また、下側受け部材としての受け部材１８は棚板１３の他にフロート引出し２８を下端部でスタッド１に支持するためにも用いられる。棚板１３やフロート引出し２８は本発明でいう収納部に相当する。
【００３６】
具体的に、各受け部材１８は、図７〜図９に示すように、上下方向に延びる支持部１９と、その上端から水平方向両側に延びる受け部２０とが一体に形成された略Ｔ字状のものである。支持部１９はスタッド１に固定支持されるもので、上下方向の細長い板状の嵌合部１９ａと、この嵌合部１９ａの上端から表側（図９で左側）に少しずれた後に上下方向に延びる三角形板状の縦部１９ｂとからなる。嵌合部１９ａは、上記スタッド１の凹溝２よりも僅かに小さい幅（例えば２２．５ｍｍ）を有しており、支持部１９はこの嵌合部１９ａの全体で凹溝２に嵌合可能となっている。
【００３７】
一方、受け部２０は、天板１０や棚板１３、フロート引出し２８を上載して支持する部分であり、支持部１９の縦部１９ｂ上端から表側に水平に折れ曲がって延びる細長い板材からなり、その長さは例えば２００ｍｍで天板１０や棚板１３の幅（例えば４４０〜５６０ｍｍ）よりも小さく、かつフロート引出し２８の奥行きよりも小さくされている。
【００３８】
上記支持部１９の縦部１９ｂには、上記スタッド１のねじ孔３に締結されるねじＳ（図１０参照）を挿通可能なねじ挿通孔２１が貫通形成されている。また、支持部１９の嵌合部１９ａ下端の裏面（図９で右面）には上記ねじ挿通孔２１よりも下側にガイドピン２２が水平方向に延びるように突設され、このガイドピン２２とねじ挿通孔２１との間隔Ｄは上記スタッド１のねじ孔３，３の間隔ｄと同じ（例えばＤ＝５０ｍｍ）に設定されている。このことでガイドピン２２は、ねじ挿通孔２１に挿通されるねじＳが締結されるねじ孔３の１つ下のねじ孔３に嵌挿されるようになっており、受け部材１８はスタッド１に対し、ねじ挿通孔２１に挿通されたねじＳを上側のねじ孔３に螺合締結しかつガイドピン２２を下側のねじ孔３に挿通することで、上下２箇所で固定されるようになっている。
【００３９】
また、受け部２０の長さ方向の中央には上方向に延びる板取付用ガイドピン２３が突設され、長さ方向の両側には長孔からなるねじ挿通孔２４，２４が貫通形成されており、図１１又は図１４に示すように、受け部材１８の上に天板１０や棚板１３の端部を上載したときに、その下面のガイド穴１４に板取付用ガイドピン２３が嵌挿され、ねじ挿通孔２４，２４にそれぞれ挿通されたねじＳ，Ｓが天板１０や棚板１３の下面に螺合締結されることで、天板１０や棚板１３が受け部材１８に固定されるようになっている。
【００４０】
後壁Ｗｂに向かって左端のスタッド１の左側面には例えば３つのフック２６，２６，…が上下に並んで取り付けられている。各フック２６は、先端部にスタッド１のねじ孔３に螺合可能な雄ねじ部（図示せず）を有しており、この雄ねじ部をねじ孔３に螺合して締結することで、フック２６がスタッド１の側面に取付固定されている。
【００４１】
後壁Ｗｂに向かって右端のスタッド１と左右中央のスタッド１との下部間にはフロート引出し２８が、また側壁Ｗｓに向かって左右のスタッド１，１の下部間には置型引出し２９がそれぞれ固定されている。フロート引出し２８は床Ｆから離れて浮いた状態で、また置型引出し２９は床Ｆに載置された状態でそれぞれスタッド１に固定されている。これらはいずれも左右の側板３０ａ，３０ａ（一方のみ図示する）と天板３０ｂと裏板（図示せず）とを有する下側及び前側に開放された箱体３０を備え、その箱体３０の内部には複数の引出し３１，３１，…が左右の側板３０ａ，３０ａとの間にスライドレール（図示せず）を介して前後方向にスライド可能に支持されている。そして、図示しないが、左右の側板３０ａ，３０ａの前後中央には複数のねじ挿通孔が上下方向に並んで貫通形成され、このねじ挿通孔の間隔はスタッド１のねじ孔３，３の間隔の整数倍になっており、箱体３０の内側からねじ挿通孔に挿通したねじをスタッド１のねじ孔３に螺合して締結することで、各引出し２８，２９が箱体３０の側板３０ａでスタッド１に固定支持されるようになっている。
【００４２】
また、フロート引出し２８にあっては、その箱体３０の左右側板３０ａ，３０ａの下側に上記受け部材１８が配置され、この受け部材１８はスタッド１に対し上記と同様に、受け部材１８のねじ挿通孔２１に挿通されてスタッド１のねじ孔３に螺合されたねじＳと、スタッド１のねじ孔３に嵌挿された受け部材１８のガイドピン２２とにより上下２箇所で固定されており、この受け部材１８によりフロート引出し２８の箱体３０下端部を左右両側で床Ｆから離れたフロート状態で支持している。尚、このとき、箱体３０の左右側板３０ａ，３０ａは、受け部材１８に対し板取付用ガイドピン２３外側の受け部２０上にガイドピン２３とスタッド１とに挟まれた状態で載置される。
【００４３】
そして、上述の如く、後壁Ｗｂの前側に収納ユニットＡの３本のスタッド１，１，…が後壁Ｗｂに向かって左右方向に並んで立設され、側壁Ｗｓの前側にも２本のスタッド１，１が側壁Ｗｓに向かって左右方向に並んで立設されている。これら左右に隣接するスタッド１，１の上端部間に天板１０が架け渡され、天板１０は左右端部でそれぞれ受け部材１８，１８（上側受け部材）を介してスタッド１，１に固定支持されている。また、各スタッド１の下端部は下側スタッドエンド７をねじ留めすることによって床Ｆに固定されている。さらに、各天板１０の後端部は後壁Ｗｂ及び側壁Ｗｓに例えば左右２つのＬ型連結具３３，３３を介して固定されている。図１２に示すように、各Ｌ型連結具３３は、水平部３３ａと、この水平部３３ａの後端から下方向に直角に折り曲げられた垂直部３３ｂとからなる金属製板材等で構成され、水平部３３ａ及び垂直部３３ｂにはそれぞれねじ挿通孔３４，３４，…が貫通形成されており、水平部３３ａのねじ挿通孔３４にねじＳを挿通して天板１０の後端部下面に螺合締結し、垂直部３３ｂのねじ挿通孔３４にねじＳを挿通して壁Ｗｂ，Ｗｓに螺合締結することで、各天板１０がＬ型連結具３３を介して壁Ｗｂ，Ｗｓに固定されている。
【００４４】
また、後壁Ｗｂの前側に位置する３本のスタッド１，１，…において、右端及び左右中央のスタッド１，１の各々の対向側面には、その天板１０の下側でかつフロート引出し２８上側の上下中間部の２箇所にそれぞれ受け部材１８，１８（下側受け部材）が互いに同じ高さになるように固定支持され、左右に対応する両受け部材１８，１８間には棚板１３が左右端部を受け部材１８，１８に固定支持された状態で架け渡されている。また、左端及び左右中央のスタッド１，１の各々の対向側面にも、その天板１０の下側の上下中間部の２箇所にそれぞれ受け部材１８，１８（下側受け部材）が互いに同じ高さになるように固定支持され、左右に対応する両受け部材１８，１８間には棚板１３が左右端部を受け部材１８，１８に固定支持された状態で架け渡されている。
【００４５】
空間の後壁Ｗｂ上部において側壁Ｗｓに隣接する位置には板状の天板受桟３６が取付固定されている。この天板受桟３６は、側壁側カットフリー天板１１の向かって右端部を載置支持するもので、この側壁側カットフリー天板１１の左端部は側壁Ｗｓ前の向かって右側のスタッド１の上端部に受け部材１８を介して固定支持されており、このスタッド１の受け部材１８と天板受桟３６との間に側壁側カットフリー天板１１が架け渡されて固定されている。また、この側壁側カットフリー天板１１と後壁Ｗｂ前の向かって左端のスタッド１の上端部との間には後壁側カットフリー天板１２（コーナーカットフリー天板）が架け渡されている。この後壁側カットフリー天板１２の後壁Ｗｂに向かって右側の端部は、上記左端のスタッド１の上端部に受け部材１８を介して固定されている。同左端部は、側壁側カットフリー天板１１にコーナー連結具３７を介して連結固定されている。このコーナー連結具３７は、図示しないが、幅方向の両側面にそれぞれ天板嵌合溝を有する断面Ｈ字状の金属材等からなり、一方の天板嵌合溝に側壁側カットフリー天板１１を、また他方の天板嵌合溝に後壁側カットフリー天板１２をそれぞれ嵌合することで、両カットフリー天板１１，１２の端部を突き合わせ、かつ天板嵌合溝の側壁を貫通するねじでカットフリー天板１１，１２とコーナー連結具３７とを固定することにより、両カットフリー天板１１，１２を突き合わせ状態で連結固定する。尚、カットフリー天板１１，１２はいずれも他の天板１０と同じ高さ位置でそれらと面一状になるように配置され、側壁側カットフリー天板１１は側壁Ｗｓに天板１０と同様にＬ型連結具３３によって固定されている。
【００４６】
上記側壁Ｗｓに向かって左側のスタッド１の上端部寄り右側面と、右側のスタッド１の上端部寄り左側面とにはそれぞれハンガーパイプ受け３９，３９が取付固定されている。この各ハンガーパイプ受け３９は、図示しないが、受け部材１８と同様に、スタッド１の凹溝２に嵌合可能な支持部を備え、この支持部には、スタッド１のねじ孔３に締結されるねじを挿通可能なねじ挿通孔と、このねじ挿通孔を挿通したねじが締結されるねじ孔３の１つ下のねじ孔３に嵌挿されるガイドピンと、ハンガーパイプを受ける上側に開いた略Ｕ字状のパイプ受け部とが設けられており、受け部材１８と同様にスタッド１に取付固定される。そして、両スタッド１，１のハンガーパイプ受け３９，３９間には断面楕円形状のハンガーパイプ４０がその端部をハンガーパイプ受け３９，３９のパイプ受け部に載置した状態で架け渡されている。
【００４７】
さらに、側壁Ｗｓに向かって右側のスタッド１の上端部寄り右側面にもハンガーパイプ受け３９が取付固定されている。また、上記天板受桟３６の上下中間部にも同様のハンガーパイプ受け３９がスタッド１上のハンガーパイプ受け３９と同じ高さとなるように取り付けられている。この天板受桟３６には、図示しないが、ねじ取付孔とピン嵌合孔とがスタッド１の隣接する２つのねじ孔３，３と同じ間隔を空けて上下に並んで形成されており、天板受桟３６のピン嵌合孔にハンガーパイプ受け３９のガイドピンを嵌合し、ハンガーパイプ受け３９のねじ挿通孔にねじを挿通して天板受桟３６のねじ取付孔に螺合締結させることにより、天板受桟３６にハンガーパイプ受け３９が取り付けられている。そして、スタッド１及び天板受桟３６の両ハンガーパイプ受け３９，３９間には断面楕円形状のハンガーパイプ４０がその端部をハンガーパイプ受け３９，３９のパイプ受け部に載置した状態で架け渡され、このハンガーパイプ４０にモンキーハンガー４３の両端部が吊り下げられている。
【００４８】
また、後壁Ｗｂに向かって左端のスタッド１の上端部寄り右側面と、左右中央のスタッド１の上端部寄り左側面とにはそれぞれハンガーパイプ受け３９，３９が取付固定され、これらハンガーパイプ受け３９，３９間にも同様のハンガーパイプ４０が架け渡されている。
【００４９】
以上のような構成の収納ユニットＡの施工手順の例について説明する。まず、例えば後壁Ｗｂに向かって右端及び左右中央にある２本の左右スタッド１，１については、図１０に示すように、各スタッド１の上端部に上側スタッドエンド５を、また下端部に下側スタッドエンド７をそれぞれ取り付けるとともに、そのスタッド１の上端部に受け部材１８を取り付ける。
【００５０】
そのとき、各スタッド１の左右側面（隣接するスタッド１との対向側面）に凹溝２が形成され、その凹溝２の底部に複数のねじ孔３，３，…が一定の間隔を空けて設けられている一方、受け部材１８の支持部１９は凹溝２に嵌合可能で、その支持部１９に上側のねじ挿通孔２１と下側のガイドピン２２とが形成されている。そのため、受け部材１８をスタッド１に取付固定する際には、受け部材１８の支持部１９をスタッド１の凹溝２に嵌合し、その状態で下側のガイドピン２２をねじ孔３に嵌挿し、ねじＳを上側のねじ挿通孔２１に挿通して、ガイドピン２２が嵌挿されているねじ孔３よりも１つ上側のねじ孔３に螺合して締結すればよい。
【００５１】
このようにスタッド１の凹溝２に受け部材１８の支持部１９が嵌合されるので、その嵌合により、受け部材１８をスタッド１へ容易に位置決めして施工することができ、その取付けが容易になる。また、スタッド１の凹溝２への受け部材１８の支持部１９の嵌合により、受け部材１８の支持強度が高くなり、受け部材１８及び該受け部材１８に固定される天板１０の前後方向の傾斜や転倒を防止することができる。
【００５２】
また、受け部材１８のガイドピン２２をスタッド１のねじ孔３に嵌挿することで、受け部材１８をスタッド１において容易に位置決めすることができる。それだけでなく、そのガイドピン２２のねじ孔３への嵌挿により受け部材１８を仮留めしておいて、その仮留め状態で上側のねじ挿通孔２１を挿通するねじＳで固定すればよく、受け部材１８のスタッド１へのねじ留めを確実に行うことができる。このようにして、Ｔ字状の受け部材１８をスタッド１に対しガイドピン２２とねじＳとの上下２箇所で結合し、ねじＳのねじ孔３への螺合締結によって強固に固定することができる。
【００５３】
また、スタッド１には複数のねじ孔３，３，…しか形成されておらず、その各ねじ孔３をねじＳの螺合締結に用いるだけでなく、ガイドピン２２の嵌挿にも使用するので、ねじ孔３とガイドピン２２を嵌挿するためのピン穴（非ねじ孔）との２種類の孔を形成せずとも済み、その分、製造が容易となる。
【００５４】
その後、図１１に示すように、両スタッド１，１の受け部材１８，１８間に天板１０を架け渡してねじＳ，Ｓにより固定する。具体的には、天板１０下面の左右両端部を受け部材１８の受け部２０上に載せ、天板１０下面のガイド穴１４に受け部材１８の受け部２０上の板取付用ガイドピン２３を嵌挿し、受け部２０のねじ挿通孔２４，２４にそれぞれ挿通されたねじＳ，Ｓを天板１０の下面に螺合締結する。このことで、天板１０が受け部材１８に固定される。
【００５５】
そのとき、受け部材１８の受け部２０に板取付用ガイドピン２３が突設され、天板１０にガイド穴１４が設けられているので、上記のように、受け部材１８に天板１０を取付固定する前に、天板１０のガイド穴１４に受け部材１８の板取付用ガイドピン２３を嵌挿して天板１０を受け部材１８に仮固定しておき、その仮固定の状態でねじ留めすればよく、天板１０の取付固定を容易にかつ確実に行うことができる。
【００５６】
こうしてスタッド１，１の上端部に天板１０が固定されると、スタッド１，１と天板１０と共に起立させて床Ｆ上に設置する。そして、図１２に示すように、天板１０の後端部をＬ型連結具３３により後壁Ｗｂに固定する。一方、各スタッド１の下端部は下側スタッドエンド７を床Ｆにねじ留めすることで、床Ｆに固定する。以上のようにして上端に天板１０が固定された左右のスタッド１，１を後壁Ｗｂ及び床Ｆの間で固定する。
【００５７】
後壁Ｗｂに向かって左端に位置するスタッド１の上端部の右側面にも受け部材１８を、また左右中央のスタッド１において左端のスタッド１と対向する左面の上端部にも受け部材１８をそれぞれ上記と同様にして取り付け（左右中央のスタッド１の上端部には左右両側に受け部材１８，１８が取り付けられる）、両受け部材１８，１８間に天板１０を架け渡して取り付け、この天板１０の後端部を側壁ＷｓにＬ型連結具３３により固定し、スタッド１を床Ｆに取付固定する。
【００５８】
側壁Ｗｓ側の左右２本のスタッド１，１についても、上記と同様にして上端部に受け部材１８，１８を取り付け、それら受け部材１８，１８間に天板１０を架け渡して取り付け、上記と同様にして、天板１０の後端部を側壁Ｗｓに、またスタッド１を床Ｆにそれぞれ取付固定する。
【００５９】
後壁Ｗｂ上部において側壁Ｗｓに隣接する位置に天板受桟３６を取付固定する。また、側壁Ｗｓに向かって右側のスタッド１の上端部の右側に受け部材１８を取付固定し（この右側のスタッド１の上端部には左右両側に受け部材１８，１８が取り付けられる）、この受け部材１８と天板受桟３６の上端との間に側板側カットフリー天板１１を載置して固定し、この側板側カットフリー天板１１の後端部は側壁ＷｓにＬ型連結具３３により固定する。また、後壁Ｗｂに向かって左端に位置するスタッド１の上端部の左側面にも受け部材１８を取付固定し、この受け部材１８に後壁側カットフリー天板１２の右端部を固定し、この後壁側カットフリー天板１２の左端部は、先に施工した上記側板側カットフリー天板１１にコーナー連結具３７によって固定する。
【００６０】
そして、側壁Ｗｓに向かって右側のスタッド１の上端寄りと天板受桟３６とにそれぞれハンガーパイプ受け３９，３９を取り付け、両ハンガーパイプ受け３９，３９間にハンガーパイプ４０を架け渡し、このハンガーパイプ４０にモンキーハンガー４３を吊り下げる。また、側壁Ｗｓに向かって左右両側のスタッド１，１の上端寄りにそれぞれハンガーパイプ受け３９，３９を取り付けてハンガーパイプ４０を架け渡す。また、後壁Ｗｂに向かって左端及び左右中央のスタッド１，１の上端寄りにもそれぞれハンガーパイプ受け３９，３９を取り付けてハンガーパイプ４０を架け渡す。
【００６１】
さらに、図１３に示すように、後壁Ｗｂ又は側壁Ｗｓに向かって左右に隣接する２つのスタッド１，１の対向側面において中間部の同じ高さ位置にそれぞれ受け部材１８，１８を上記天板１０の受け部材１８と同様にして取付固定し、図１４に示すように、これら受け部材１８，１８間に棚板１３を天板１０と同様にして取付固定する。
【００６２】
また、後壁Ｗｂに向かって右端及び左右中央に位置していて互いに隣接する２つのスタッド１の対向側面において中間部の同じ高さ位置にそれぞれ受け部材１８，１８を上記天板１０の受け部材１８と同様にして取付固定し、これら受け部材１８，１８にフロート引出し２８における箱体３０の左右側板３０ａ，３０ａの下端部を支持し、その側板３０ａ，３０ａを貫通するねじを左右スタッド１，１のねじ孔３，３，…に螺合締結することにより、フロート引出し２８を床Ｆから離れたフロート状態でスタッド１に取付固定する。
【００６３】
さらに、側壁Ｗｓに向かって左右に隣接する２つのスタッド１，１の対向側面間の下部に置型引出し２９を床Ｆに載置した状態で配置し、その箱体３０の側板３０ａ，３０ａを貫通するねじをスタッド１，１のねじ孔３，３，…に螺合締結することにより、載置型引出し２９を床Ｆに載置した状態でスタッド１に取付固定する。以上により収納ユニットＡを設置する施工が終了する。
【００６４】
したがって、この実施形態においては、左右に隣接するスタッド１，１の下端部は床Ｆに固定される一方、両スタッド１，１の上端部に受け部材１８，１８を介して天板１０が固定支持され、この天板１０は後端部がＬ型連結具３３によって壁Ｗｂ，Ｗｓに固定されているので、スタッド１，１は受け部材１８，１８及び天板１０を介して壁Ｗｂ，Ｗｓに固定される。このことで、スタッド１は下端部を床Ｆに、上端部を壁Ｗｂ，Ｗｓに固定した状態で確実に立設される。
【００６５】
また、このようにスタッド１，１の上端部は受け部材１８，１８及び天板１０を介して壁Ｗｂ，Ｗｓに固定されるので、収納ユニットＡを固定するためのレールを壁Ｗｂ，Ｗｓに設ける必要がない。そのため、床Ｆに不陸があっても、そのことに関係なく確実に収納ユニットＡを固定することができる。
【００６６】
さらに、天板１０、カットフリー天板１１，１２、棚板１３、フロート引出し２８をスタッド１に支持するための受け部材１８はいずれも同じＴ字状のものであり、スタッド１に対し支持部１９がスタッド１の凹溝２に嵌合された状態で、支持部１９のガイドピン２２がスタッド１のねじ孔３に嵌合されかつ支持部１９のねじ挿通孔２１に挿通されたねじＳがスタッド１のねじ孔３に螺合されて、これらガイドピン２２とねじＳとの上下２箇所で結合されている。このことで、天板１０、カットフリー天板１１，１２、棚板１３、フロート引出し２８をそれぞれ支持する受け部材１８はいずれも同じものを用いることができ、これらを１種類の受け部材１８によりスタッド１に固定支持することができる。そのため、異種の受け部材を用いる場合のように取付ミスが生じることはなく、施工も容易となり、部品点数の少なくなってコストダウンを図ることができる。
【００６７】
また、各受け部材１８の受け部２０の長さが天板１０、棚板１３、フロート引出し２８の前後幅よりも小さいので、設置状態（施工状態）では、その受け部２０は天板１０や棚板１３等に隠れてそれらから飛び出さず、天板１０、棚板１３、フロート引出し２８に収納し或いはそれらから取り出そうとする収納物が引っ掛かったり使用者が衝突したりすることがない。しかも、受け部材１８の受け部２０が目立ち難くなって収納ユニットＡの意匠性を高めることができる。
【００６８】
（実施形態２）
図１５は本発明の実施形態２を示し（尚、図１〜図１４と同じ部分については同じ符号を付してその詳細な説明は省略する）、上記実施形態１では、空間の後壁Ｗｂ及び側壁Ｗｓに亘りそれらの前側に収納ユニットＡを平面視でＬ字状に設置しているのに対し、後壁Ｗｂのみの前側に収納ユニットＡを平面視でＩ字状に設置したものである。
【００６９】
すなわち、この実施形態では、後壁Ｗｂの前側に４本のスタッド１，１，…が立設され、これらスタッド１，１，…の上端部間に３枚の天板１０，１０，…が同じ高さで架け渡され、各天板１０は左右端部が受け部材１８，１８を介してスタッド１，１に固定支持されている。また、各天板１０は後端部で後壁Ｗｂに例えば左右２つのＬ型連結具３３，３３を介して固定されている。
【００７０】
また、側壁Ｗｓ上部において後壁Ｗｂに隣接する位置には天板受桟３６が取付固定されている。この天板受桟３６上には、後壁側カットフリー天板１２の向かって左端部が載置されて支持固定され、この後壁側カットフリー天板１２の右端部は左端のスタッド１の上端部に受け部材１８を介して固定支持されており、この後壁側カットフリー天板１２は、他の天板１０と同じ高さ位置となるようにスタッド１と天板受桟３６との間に架け渡されて固定されている。
【００７１】
さらに、左端のスタッド１の上部と左から２番目のスタッド１の上部との間、及び該左から２番目のスタッド１上部と左から３番目（右から２番目）のスタッド１の上部との間には、それぞれ互いに同じ高さのハンガーパイプ４０，４０が両端部をハンガーパイプ受け３９，３９でスタッド１に支持された状態で架け渡されている。
【００７２】
また、右端スタッド１の上下中間部と右から２番目のスタッド１の上下中間部との間には上下２枚の棚板１３，１３がそれぞれ両端部を受け部材１８，１８でスタッド１に支持された状態で架け渡されている。左端のスタッド１の右側面及び左から２番目のスタッド１の右側面にはそれぞれフック２６，２６，…が取付固定されている。
【００７３】
左端のスタッド１の下部と左から２番目のスタッド１の下部との間には置型引出し２９が固定支持され、右端スタッド１の下部と右から２番目のスタッド１の下部との間にはフロート引出し２８が固定支持されている。
【００７４】
その他の構成は上記実施形態１と同じである。この実施形態でも実施形態１と同様の作用効果を奏することができる。
【００７５】
（その他の実施形態）
尚、上記実施形態では、各受け部材１８のねじ挿通孔２１とガイドピン２２との高さをスタッド１のねじ孔３，３の間隔と同じにし、ねじ挿通孔２１に挿通されたねじＳが螺合されるねじ孔３を、ガイドピン２２が嵌挿されるねじ孔３の１つ上側としているが、ねじ挿通孔２１とガイドピン２２との高さをスタッド１のねじ孔３，３の間隔の整数倍とし、ねじ挿通孔２１に挿通されたねじＳが螺合されるねじ孔３を、ガイドピン２２が嵌挿されるねじ孔３の２つ以上上側とすることもできる。
【００７６】
また、上記各実施形態はいずれも収納ユニットＡの設置の例示であり、スタッド１、天板１０及びカットフリー天板１１，１２、棚板１３、受け部材１８、フロート引出し２８、置型引出し２９、ハンガーパイプ４０、フック２６、モンキーハンガー４３等は自在に組み合わせて設置することができる。その場合、複数本のスタッド１，１，…の上端部間に天板１０を架け渡して、その天板１０を受け部材１８を介してスタッド１に固定支持し、その天板１０の後端部を壁Ｗｂ，Ｗｓに固定し、スタッド１の下端部を床Ｆに固定しさえすればよく、その他のものは必要に応じて適宜選択することができる。
【００７７】
また、上記実施形態では、収納ユニットＡを衣類や鞄、靴等を収納するために用いられるものとしているが、その他、例えばキッチン等で食品、調味料、調理道具等を整理して収納するため等、他の用途の整理に用いることができる。
【産業上の利用可能性】
【００７８】
本発明は、収納ユニットの固定のためのレールを壁に設けることが不要となり、床の不陸に関係なく確実に収納ユニットを固定できるので、極めて有用である。
【符号の説明】
【００７９】
Ａ  収納ユニット
Ｆ  床
Ｗｂ  後壁
Ｗｓ  側壁
Ｓ  ねじ（ねじ部材）
１  スタッド（支柱）
２  凹溝
３  ねじ孔
ｄ  ねじ孔の間隔
５  上側スタッドエンド
７  下側スタッドエンド
１０  天板
１１  側壁側カットフリー天板（収納部）
１２  後壁側カットフリー天板（収納部）
１３  棚板（収納部）
１４  ガイド穴
１８  受け部材（上側及び下側受け部材）
１９  支持部
２０  受け部
２１  ねじ挿通孔
２２  ガイドピン
Ｄ  間隔
２３  板取付用ガイドピン
２６  フック
２８  フロート引出し（収納部）
２９  置型引出し（収納部）
３３  Ｌ型連結具
３６  天板受桟
３７  コーナー連結具
３９  ハンガーパイプ受け
４０  ハンガーパイプ
４３  モンキーハンガー
【図１】
0005917585.tif 000002
【図２】
0005917585.tif 000003
【図３】
0005917585.tif 000004
【図４】
0005917585.tif 000005
【図５】
0005917585.tif 000006
【図６】
0005917585.tif 000007
【図７】
0005917585.tif 000008
【図８】
0005917585.tif 000009
【図９】
0005917585.tif 000010
【図１０】
0005917585.tif 000011
【図１１】
0005917585.tif 000012
【図１２】
0005917585.tif 000013
【図１３】
0005917585.tif 000014
【図１４】
0005917585.tif 000015
【図１５】
0005917585.tif 000016